(57)【要約】【課題】  一枚のシート材料から作られたフード付きのボレロとして利用可能おなストールを提供する。【解決手段】  第１の辺部分３Ａと第２の辺部分４Ａとを縫製して第１の袖部７を構成する。同様にして、第３の辺部分５Ａと第４の辺部分４Ｂとを縫製して第２の袖部９を構成する。第１乃至第４の辺２乃至５の長さ寸法を、第１の袖部７及び第２の袖部９に左右の腕を挿入した着用者の頭部を覆うフード３０が、第１の袖部７と第２の袖部９との間に位置し且つ第１の辺２に沿う部分により構成されるように定める。【選択図】  図１
2012062586.tif 000002
【特許請求の範囲】
【請求項１】
連続する第１乃至第４の辺を有し、前記第１及び第３の辺が対向し、前記第２及び第４の辺が対向し、前記第１及び第３の辺の長さが前記第２及び第４の辺の長さよりも長い一枚のシート材料から作られたボレロとして使用可能なストールであって、
前記第２の辺における前記第２の辺と前記第３の辺の交点から第１の長さ寸法離れた第１の位置と前記第１の長さ寸法よりも長い第２の長さ寸法前記交点から離れた第２の位置との間の第１の辺部分と、前記第３の辺における前記第２の辺と前記第３の辺の交点から前記第１の長さ寸法離れた第３の位置と前記第２の長さ寸法前記交点から離れた第４の位置との間の第２の辺部分とが縫製されて第１の袖部が構成されており、
前記第４の辺における前記第４の辺と前記第３の辺の交点から前記第１の長さ寸法離れた第５の位置と前記第２の長さ寸法前記交点から離れた第６の位置との間の第３の辺部分と、前記第３の辺における前記第４の辺と前記第３の辺の交点から前記第１の長さ寸法離れた第７の位置と前記第２の長さ寸法前記交点から離れた第８の位置との間の第４の辺部分とが縫製されて第２の袖部が構成されており、
前記第１の長さ寸法は、前記縫製後形成された前記交点が縁部に含まれる開口部が、前記第１の袖部及び前記第２の袖部の袖口を構成するように定められており、
前記第１乃至第４の辺の長さ寸法は、前記第１の袖部及び第２の袖部に左右の腕を挿入した着用者の頭部を覆うフードが、前記第１の袖部と第２の袖部との間に位置し且つ第１の辺に沿う部分により構成されるように定められていることを特徴とするストール。
【請求項２】
前記第１の辺と前記第２の辺の交点と前記第１の辺部分との間に、前記第３の辺とは縫製されない第１の非縫製部が形成されており、
前記第１の辺と前記第４の辺の交点と前記第３の辺部分との間に、前記第３の辺とは縫製されない第２の非縫製部が形成されている請求項１に記載のストール。
【請求項３】
前記シート材料は、ＵＶ加工が施された布材である請求項１に記載のストール。
【請求項４】
前記シート材料の中央部に、前記第３の辺に沿って延びるようにゴム部材が縫い付けられて形成されたシャーリング部が設けられている請求項１に記載のストール。
【請求項５】
前記交点に前記着用者の指を挿入するリング部が形成されている請求項１乃至４のいずれか１項に記載のストール。
【請求項６】
連続する第１乃至第４の辺を有し、前記第１及び第３の辺が対向し、前記第２及び第４の辺が対向し、前記第１及び第３の辺の長さが前記第２及び第４の辺の長さよりも長い一枚のシート材料から、ボレロとして使用可能なストールを製造する方法であって、
前記第２の辺における前記第２の辺と前記第３の辺の交点から第１の長さ寸法離れた第１の位置と前記第１の長さ寸法よりも長い第２の長さ寸法前記交点から離れた第２の位置との間の第１の辺部分と、前記第３の辺における前記第２の辺と前記第３の辺の交点から前記第１の長さ寸法離れた第３の位置と前記第２の長さ寸法前記交点から離れた第４の位置との間の第２の辺部分とを縫製して第１の袖部を形成し、
前記第４の辺における前記第４の辺と前記第３の辺の交点から前記第１の長さ寸法離れた第５の位置と前記第２の長さ寸法前記交点から離れた第６の位置との間の第３の辺部分と、前記第３の辺における前記第４の辺と前記第３の辺の交点から前記第１の長さ寸法離れた第７の位置と前記第２の長さ寸法前記交点から離れた第８の位置との間の第４の辺部分とを縫製して第２の袖部を形成し、
前記第１の長さ寸法を、前記縫製後形成された前記交点が縁部に含まれる開口部が、前記第１の袖部及び前記第２の袖部の袖口を構成するように定め、
前記第１乃至第４の辺の長さ寸法を、前記第１の袖部及び第２の袖部に左右の腕を挿入した着用者の頭部を覆うフードを、前記第１の袖部と第２の袖部との間に位置し且つ第１の辺に沿う部分により形成するように定めたことを特徴とするストールの製造方法。
【発明の詳細な説明】
【技術分野】
【０００１】
本発明は、フード付きのボレロとして使用可能なストールに関するものである。
【背景技術】
【０００２】
女性用衣服として、２本の袖と、肩を覆う肩部と、フードとが一緒になったフード付きボレロが販売されていることが知られている。従来のフード付きボレロは、通常の洋服と同じように、複数のパーツを縫い合わせて製造するため、通常の洋服と全く同じ手間がかかる。
【０００３】
特開２００４−１１５９８４号公報には、一枚の布材を部分的に縫い合わせることにより、ボレロ風のストールを製造する技術が開示されている。
【先行技術文献】
【特許文献】
【０００４】
【特許文献１】特開２００４−１１５９８４号公報
【発明の概要】
【発明が解決しようとする課題】
【０００５】
特開２００４−１１５９８４号公報に示された一枚の布材から製造するボレロ風のストールでは、その構造からフードを付けることができない問題がある。
【０００６】
本発明の目的は、一枚のシート材料から作られたフード付きのボレロとして利用可能おなストール及びその製造方法を提供することにある。
【課題を解決するための手段】
【０００７】
本発明は、連続する第１乃至第４の辺を有し、第１及び第３の辺が対向し、第２及び第４の辺が対向し、第１及び第３の辺の長さが第２及び第４の辺の長さよりも長い一枚のシート材料から作られた、ボレロとして使用可能なストールを改良の対象とする。本発明のストールは、第２の辺における第２の辺と第３の辺の交点から第１の長さ寸法離れた第１の位置と第１の長さ寸法よりも長い第２の長さ寸法前記交点から離れた第２の位置との間の第１の辺部分と、第３の辺における第２の辺と第３の辺の交点から第１の長さ寸法離れた第３の位置と第２の長さ寸法交点から離れた第３の位置との間の第２の辺部分とが縫製されて第１の袖部が構成されている。また第４の辺における第４の辺と前記第３の辺の交点から第１の長さ寸法離れた第５の位置と第２の長さ寸法前記交点から離れた第６の位置との間の第３の辺部分と、第３の辺における第４の辺と第３の辺の交点から第１の長さ寸法離れた第７の位置と第２の長さ寸法前記交点から離れた第８の位置との間の第４の辺部分とが縫製されて第２の袖部が構成されている。そして第１の長さ寸法は、縫製後形成された交点が縁部に含まれる開口部が、第１の袖部及び第２の袖部の袖口を構成するように定められている。また第１乃至第４の辺の長さ寸法は、第１の袖部及び第２の袖部に左右の腕を挿入した着用者の頭部を覆うフードが、第１の袖部と第２の袖部との間に位置し且つ第１の辺に沿う部分により構成されるように定められている。本発明によれば、一枚のシート材料からフード付きのボレロとして使用可能なストールを簡単に製造することができる。
【０００８】
第１の辺と第２の辺の交点と第１の辺部分との間に、第３の辺とは縫製されない第１の非縫製部を形成し、第１の辺と第４の辺の交点と第３の辺部分との間に、第３の辺とは縫製されない第２の非縫製部を形成してもよい。第１及び第２の非縫製部の長さを適宜に定めることによりボレロの裾部の長さを適宜に定めることができる。
【０００９】
シート材料が、ＵＶ加工が施された布材であれば、日焼けを効果的に防止することができる。
【００１０】
シート材料の中央部に、第３の辺に沿って延びるようにゴム部材が縫い付けられて形成されたシャーリング部が設けられていてもよい。このようなシャーリング部を設けると、着用者の背部に余裕を持たせることができる。
【００１１】
前記交点に着用者の指を挿入するリング部を形成すれば、手の甲の大部分も覆うことができる。
【００１２】
本発明のボレロの製造方法は、連続する第１乃至第４の辺を有し、第１及び第３の辺が対向し、第２及び第４の辺が対向し、第１及び第３の辺の長さが第２及び第４の辺の長さよりも長い一枚のシート材料からボレロを製造する。そこでまず第２の辺における第２の辺と第３の辺の交点から第１の長さ寸法離れた第１の位置と第１の長さ寸法よりも長い第２の長さ寸法交点から離れた第２の位置との間の第１の辺部分と、第３の辺における第２の辺と第３の辺の交点から第１の長さ寸法離れた第３の位置と第２の長さ寸法前記交点から離れた第３の位置との間の第２の辺部分とを縫製して第１の袖部を形成する。次に第４の辺における第４の辺と第３の辺の交点から第１の長さ寸法離れた第５の位置と第２の長さ寸法交点から離れた第６の位置との間の第３の辺部分と、第３の辺における第４の辺と第３の辺の交点から第１の長さ寸法離れた第７の位置と第２の長さ寸法前記交点から離れた第８の位置との間の第４の辺部分とを縫製して第２の袖部を形成する。
【図面の簡単な説明】
【００１３】
【図１】（Ａ）は本実施の形態のストールの正面図であり、（Ｂ）は本実施の形態のストールの背面図である。
【図２】ストールを着用者が着用した状態の正面図である。
【図３】着用者が着用したストールの背面図である。
【発明を実施するための形態】
【００１４】
以下、図面を参照して、本発明のフード付きボレロとして使用可能なストールの実施の形態の一例を詳細に説明する。図１（Ａ）は本実施の形態のストール１の正面図であり、図１（Ｂ）は本実施の形態のストール１の背面図である。なお図１には、使用した長方形状のシート材料Ｓを縫製する前の輪郭ＯＬを破線で示してある。図２は、ストール１を着用者が着用した状態の正面図であり、図３は着用者が着用したストール１の背面図である。
【００１５】
本実施の形態では、シート材料ＳとしてＵＶ加工を施したレースのように軟らかく薄い布材を用いている。シート材料Ｓは、連続する第１乃至第４の辺２乃至５を有している。第１及び第３の辺２及び４は対向しており、第２及び第４の辺３及び５も対向している。第１及び第３の辺２及び４の長さは第２及び第４の辺３及び５の長さよりも長い。
【００１６】
第２の辺３における第２の辺３と第３の辺４の交点６から第１の長さ寸法Ｌ１離れた第１の位置Ｐ１と第１の長さ寸法Ｌ１よりも長い第２の長さ寸法Ｌ２交点６から離れた第２の位置Ｐ２との間の第１の辺部分３Ａと、第３の辺４における第２の辺３と第３の辺４の交点６から第１の長さ寸法Ｌ１離れた第３の位置Ｐ３と第２の長さ寸法Ｌ２交点６から離れた第４の位置Ｐ４との間の第２の辺部分４Ａとが縫製されて第１の袖部７が構成されている。また第４の辺５における第４の辺５と第３の辺４の交点８から第１の長さ寸法Ｌ１離れた第５の位置Ｐ５と第２の長さ寸法Ｌ２交点８から離れた第６の位置Ｐ６との間の第３の辺部分５Ａと、第３の辺４における第４の辺５と第３の辺４の交点８から第１の長さ寸法Ｌ１離れた第７の位置Ｐ７と第２の長さ寸法Ｌ２交点８から離れた第８の位置Ｐ８との間の第４の辺部分４Ｂとが縫製されて第２の袖部９が構成されている。
【００１７】
また第１の辺２と第２の辺３の交点１０と第１の辺部分３Ａとの間に、第３の辺４とは縫製されない第１の非縫製部１１が形成されている。第１の辺２と第４の辺５の交点１２と第３の辺部分５Ａとの間に、第３の辺４とは縫製されない第２の非縫製部１３が形成されている。第１及び第２の非縫製部１１及び１３の長さを適宜に定めることによりボレロの裾部の長さを適宜に定めることができる。
【００１８】
第１の長さ寸法Ｌ１は、縫製後形成された交点６，８が縁部に含まれる開口部１４，１５が、第１の袖部７及び第２の袖部９の袖口を構成するように定められている。また第１乃至第４の辺２乃至５の長さ寸法は、第１の袖部７及び第２の袖部９に左右の腕を挿入した着用者の頭部を覆うフード３０が、第１の袖部７と第２の袖部９との間に位置し且つ第１の辺２に沿う部分により構成されるように定められている。
【００１９】
本実施の形態では、交点６，８に着用者の指を挿入するリング部１６，１７が形成されている。リング部１６，１７を設けることにより、着用者の手の甲もストール１の一部で包むことができるので、手の甲の日焼けを防止できる。
【００２０】
また第１の辺２の一部により構成される襟部１８には釦２０が設けられ、襟部１９には釦２０が掛けられるボタン穴を構成するゴムリング２１が設けられている。釦２０をゴムリング２１に掛けることにより、襟部１８，１９が離れるのを防止できる。したがって自転車に乗った状態でこのストールをボレロとしてを着用しても襟部が広がることがない。
【００２１】
またシート材Ｓの中央部に、第３の辺４に沿って延びるようにゴム部材２２が縫い付けられて形成されたシャーリング部２３が設けられている。このようなシャーリング部２３を設けると、着用者の背部に余裕を持たせることができ、また立体感のあるフードを形成することができる。
【００２２】
ちなみに着用者が日本人の女性の場合には、第１及び第３の辺２及び４の長さは、１６ｃｍ±５ｃｍ、第２及び第４の辺３及び５の長さは７５ｃｍ±５ｃｍ、第１の長さ寸法は１５ｃｍ±２ｃｍ、第２の長さ寸法は３７ｃｍ±２ｃｍ、第１の辺２からシャーリング部２３までの最短距離が４５±３ｃｍ程度にすることが好ましい。
【産業上の利用可能性】
【００２３】
本発明によれば、一枚のシート材料からフード付きのボレロとして使用可能なストールを簡単に製造することができる。
【符号の説明】
【００２４】
１  ストール
２〜５  第１乃至第４の辺
６  交点
７  袖部
８  交点
９  袖部
１０  交点
１１  非縫製部
１２  交点
１３  非縫製部
１４  開口部
１６，１７  リング部
１８  襟部
１９  襟部
２０  釦
２１  ゴムリング
２２  ゴム部材
２３  シャーリング部
３０  フード
Ｓ  シート材料
【図１】
2012062586.tif 000003
【図２】
2012062586.tif 000004
【図３】
2012062586.tif 000005